(57)【特許請求の範囲】
【請求項１】
放送局の周波数を記憶するメモリからなる複数のメモリ群を備えた車載映像音響機器において、
前記複数のメモリ群のうちの１つのメモリ群に対して複数の受信モードのうちの予め定められた１つの受信モードを対応させてオートプリセットさせる動作モードと、前記複数のメモリ群のそれぞれに対して前記受信モードのうちの任意の受信モードを対応させてオートプリセットさせる動作モードとを切り換える切換ボタンを備えたことを特徴とする車載映像音響機器。
【請求項２】
前記複数のメモリ群のそれぞれに対して前記受信モードのうちの任意の受信モードを対応させてオートプリセットさせる動作モードにおいて、任意の複数のメモリ群に同一の受信モードを対応させてオートプリセットさせる請求項１記載の車載映像音響機器。
【請求項３】
前記複数のメモリ群のそれぞれに対して前記受信モードのうちの任意の受信モードを対応させてオートプリセットさせる動作モードにおいて、前記複数のメモリ群の各メモリ群に設定された受信モードに従って自動受信可能な放送局の周波数が一斉に自動記憶されることを特徴とする請求項１または請求項２に記載の車載映像音響機器。
【請求項４】
前記受信モードをＡМ放送又はＦＭ放送又はＲＤＳ放送から選択する請求項１ないし請求項３のいずれかに記載の車載映像音響機器。
【請求項５】
前記操作部の長押しにより、前記受信モードの設定を行う請求項１乃至請求項４のいずれかに記載の車載映像音響機器。
【請求項６】
前記操作部が複数設けられて前記複数の操作部の同時押下により、前記受信モードの設定解除を行う請求項１乃至請求項５のいずれかに記載の車載映像音響機器。
【請求項７】
前記複数のメモリ群のうち、全部のメモリ群又は一部の複数のメモリ群に同一の受信モードを設定した場合に、前記全部のメモリ群又は一部の複数のメモリ群を一連の記憶領域として前記放送局の周波数を電界強度の大きい順または周波数の低い順に記憶する請求項１乃至請求項６のいずれかに記載の車載映像音響機器。
【発明の詳細な説明】
【０００１】
【発明の属する技術分野】
本発明は、ラジオ、テレビ受信機、ＣＤ、МＤ、ＤＶＤプレーヤ、ナビゲーション装置などの車載映像音響機器に関する。
【０００２】
【従来の技術】
従来、自動車の車内のインストルメントパネルの一部に、ラジオ受信機、テレビ受信機、ＣＤ、МＤ、ＤＶＤプレーヤ、ナビゲーション装置などが一体的に組み込まれている。一般に、ラジオ受信機に、オートプリセット機構を備え、そのプリセットメモリに受信モード（ＡМ放送、ＦＭ放送、ＲＤＳ（Radio Data System）放送）毎に放送局の周波数を自動記憶できるように構成されている。
【０００３】
図５に、ラジオ受信機の操作パネルの一例を示している。図５において、１、２、３はＡМ／ＦＭ／ＲＤＳ放送のバンド切り替えボタンで、１はＡМボタンであり、２はＦＭボタンであり、３はＲＤＳボタンである。４はプリセットメモリに放送局の周波数をオートプリセットするセットボタンである。５１〜５６はプリセットボタンである。なお、このラジオ受信機の場合、制御部に第１、第２、第３のメモリ群を備え、第１のメモリ群にＡМ放送を６局まで、第２のメモリ群にＦＭ放送を６局まで、第３のメモリ群にＲＤＳを６局までプリセット可能になっている。このラジオ受信機のプリセットメモリに、例えばＡМ放送の放送局の周波数を自動記憶する場合、まずＡМボタン１を押して、ラジオ受信機にＡＭモードを設定し、続いてセットボタン４を押下することにより、現在の自動車の位置で受信可能なＡМ放送局の周波数が第１のメモリ群に記憶される。このようにしてＡМ放送の周波数が合計６局までオートプリセットされる。また、ＦＭ放送又はＲＤＳの放送局の周波数を設定する場合も、ＦＭボタン２又はＲＤＳボタン３とセットボタン４とにより、同様の操作を行うことにより、受信可能なＦＭ放送局の周波数が合計６局まで第２のメモリ群に記憶され、受信可能なＲＤＳ放送局の周波数が合計６局まで第３のメモリ群に記憶される。
【０００４】
【発明が解決しようとする課題】
しかしながら、従来のラジオ受信機では、放送局の周波数をオートプリセットする場合、ＡМモードで例えば６局、ＦＭモードで例えば６局、ＲＤＳモードで例えば６局と受信モード毎にプリセットメモリ数が同じ数に固定されているため、いずれの受信モードでもこのプリセットメモリ数を超えてプリセットすることができないという問題がある。また、ＡМ放送、ＦＭ放送、ＲＤＳの受信モード毎にオートプリセットの操作を行うため、操作が煩雑であるという問題がある。本発明は、このような従来の問題を解決するものであり、複数のメモリ群に任意の受信モードを割り当てて、任意の受信モードのプリセットメモリ数を変更することができ、併せて、任意に設定したすべての受信モードのオートプリセットを簡易な操作で行うことのできる優れた車載映像音響機器を提供することを目的とする。
【０００５】
【課題を解決するための手段】
上記目的を達成するために、本発明は、放送局の周波数を記憶するメモリからなる複数のメモリ群を備えた車載映像音響機器において、前記各メモリ群に任意の受信モードの設定又は設定解除を行う手段と、操作部の操作により、前記すべてのメモリ群に受信可能な前記放送局の周波数を前記受信モードの設定に従って、一斉に自動記憶する手段とを備えた構成を有している。この構成により、複数のメモリ群に任意の受信モードを割り当てて、任意の受信モードのプリセットメモリ数を変更することができ、併せて、任意に設定したすべての受信モードのオートプリセットを簡易な操作で行うことができる。
また、本発明は、前記受信モードをＡМ放送又はＦＭ放送又はＲＤＳ放送から選択する構成を有している。この構成により、複数のメモリ群にＡМ放送又はＦＭ放送又はＲＤＳ放送から、任意の受信モードを割り当てて、任意の受信モードのプリセットメモリ数を変更することができ、併せて、任意に設定したすべての受信モードのオートプリセットを簡易な操作で行うことができる。
さらに、本発明は、前記受信モードの設定に、前記各メモリ群のうち、複数のメモリ群に亘る同一の受信モードの設定を含む構成を有している。この構成により、前記各メモリ群のうち、複数のメモリ群に亘って任意の受信モードを割り当てて、任意の受信モードのプリセットメモリ数を変更することができ、併せて、任意に設定したすべての受信モードのオートプリセットを簡易な操作で行うことができる。
さらに、本発明は、前記操作部の長押しにより、前記受信モードの設定を行う構成を有している。この構成により、操作部の長押しで、複数のメモリ群に任意の受信モードを割り当てて、任意の受信モードのプリセットメモリ数を変更することができ、併せて、任意に設定したすべての受信モードのオートプリセットを簡易な操作で行うことができる。
さらに、本発明は、前記操作部が複数設けられて前記複数の操作部の同時押下により、前記受信モードの設定解除を行う構成を有している。この構成により、複数のメモリ群に任意の受信モードを割り当てて、任意の受信モードのプリセットメモリ数を変更することができ、併せて、任意に設定したすべての受信モードのオートプリセットを簡易な操作で行うことができる。
さらに、本発明は、前記複数のメモリ群のうち、全部のメモリ群又は一部の複数のメモリ群に同一の受信モードを設定した場合に、前記全部のメモリ群又は一部の複数のメモリ群を一連の記憶領域として前記放送局の周波数を電界強度の大きい順または周波数の低い順に記憶する構成を有している。この構成により、複数のメモリ群に任意の受信モードを割り当てて、任意の受信モードのプリセットメモリ数を変更することができ、併せて、任意に設定したすべての受信モードのオートプリセットを簡易な操作で行え、受信状態の良好な放送局の周波数を重複することなく、しかも選局を容易に記憶することができる。
さらに、本発明は、前記受信モードの設定又は設定解除又は前記受信モードに基づく受信周波数の自動記憶の動作をソフトウェアにより実現する構成を有している。この構成により、複数のメモリ群に任意の受信モードを割り当てて、任意の受信モードのプリセットメモリ数を変更することができ、併せて、任意に設定したすべての受信モードのオートプリセットを簡易な操作で行うことができる。
【０００６】
【発明の実施の形態】
以下、本発明の一実施の形態における車載映像音響機器について図１乃至図４を用いて説明する。図１に、ラジオ受信機の操作パネルを示している。図１において、この操作パネルには、ＡМボタン１、ＦＭボタン２、ＲＤＳボタン３、セットボタン４、ファンクションボタン５１〜５６、周波数調整ツマミ６、など既存の操作ボタンを備える。なお、７はラジオ受信機の動作状態を表示するＬＣＤなどの表示器である。
【０００７】
図２に、このラジオ受信機の内部の機能制御部の概略構成を示している。図２において、１から７は図１に示したものと同じである。アンテナ８は放送波を受信するものであり、受信部９は放送波の同調、増幅、検波などを行うものであり、スピーカ１０は音声を出力するものである。ＣＰＵ１１は所定のプログラム（ソフトウェア）に基づいてこの装置全体を制御する制御部である。メモリ１２はＣＰＵ１１のプログラムや各種データを記憶するもので、第１、第２、第３のメモリ群１２１、１２２、１２３を備え、これらのメモリ群１２１、１２２、１２３にそれぞれ６局分、合計１８局分のプリセットメモリを持つ。
【０００８】
次に、この実施の形態の動作について説明する。まず、電源ボタンがオンされると、ＣＰＵ１１が動作し、装置の各部が動作状態となる。次に、ＡМボタン１又はＦＭボタン２又はＲＤＳボタン３を押下することにより、ＡМ放送又はＦＭ放送又はＲＤＳ放送のラジオモードになり、表示器７に受信中の放送局の受信モードと受信周波数が表示されるとともに、スピーカ１０から当該ラジオ放送の音声が出力される。
【０００９】
このラジオ受信機のプリセットメモリに、受信可能な放送局の周波数を自動記憶（オートプリセット）する場合、予め第１、第２、第３のメモリ群１２１、１２２、１２３に選択的に、ＡМ放送又はＦＭ放送又はＲＤＳ放送から、任意の受信モードを設定しておく。この設定は、ＣＰＵ１１を動作させるプログラムにより、既存の操作ボタンの動作モードを変える操作で実行される。以下、図３、図４のフロー図を参照して説明する。
【００１０】
図３において、まず、既存のセットボタン４が長押しされると（ステップＳТ１）、第１、第２、第３のメモリ群１２１、１２２、１２３に受信モードを指定するバンド指定モードが呼び出され、その指定画面が表示器７に表示される（ステップＳТ２）。最初にメモリ群の指定が行われ（ステップＳТ３）、第１のメモリ群１２１に受信モードが指定可能となる（ステップＳТ４）。次に指定モードはＡМ放送であるか否かがチェックされ（ステップＳТ５）、第１のメモリ群１２１にＡМ放送が指定された場合は、第１のメモリ群１２１にＡМ放送が設定される（ステップＳТ６）。一方、ＡМ放送が指定されなかった場合は、次に指定モードはＦＭ放送であるか否かがチェックされ（ステップＳТ７）、第１のメモリ群１２１にＦМ放送が指定された場合は、第１のメモリ群１２１にＦМ放送が設定される（ステップＳТ８）。さらに上記ステップＳТ７でＦＭ放送が指定されなかった場合は、次に指定モードはＲＤＳ放送であるか否かがチェックされ（ステップＳТ９）、第１のメモリ群１２１にＲＤＳ放送が指定された場合は、第１のメモリ群１２１にＲＤＳ放送が設定される（ステップＳТ１０）。また、ステップＳТ９においても指定される放送がないときは、放送の指定を行わないと判断して指定動作を終了する。そして、第１のメモリ群１２１にＡМ放送、ＦＭ放送、ＲＤＳ放送のいずれかが設定されたときは、メモリ群１２１、１２２、１２３のすべてについてメモリ指定が行われたか否かがチェックされ（ステップＳТ１１）、すべてのメモリ群１２１、１２２、１２３の指定が行われたときは一連の指定動作を終了する一方、すべてのメモリ群１２１、１２２、１２３が未だ指定されていないときはステップＳТ３の処理に戻って指定されるメモリ群の切り替えが行われ、次のメモリ群（例えば第２のメモリ群１２２）に対し、上述したのと同様の処理に従って放送のモード指定が行われる。
【００１１】
このようにして第１のメモリ群１２１、第２のメモリ群１２２、第３のメモリ群１２３に、任意の受信モードが設定される。この受信モードの設定により、例えば、従来通り、第１のメモリ群１２１にＡМ放送、第２のメモリ群１２２にＦＭ放送、第３のメモリ群１２３にＲＤＳ放送を設定したり、また、ユーザー仕様として（ユーザーの好みに応じて）、第１のメモリ群１２１にＡМ放送、第２、第３のメモリ群１２２、１２３にＦＭ放送をそれぞれ設定したり、第１〜第３のメモリ群１２１、１２２、１２３のすべてにＡＭ放送又はＦМ放送又はＲＤＳ放送を設定したり、各メモリ群１２１、１２２、１２３に任意の受信モードを自由に割り当てる。なお、第１、第２、第３のメモリ群１２１、１２２、１２３をすべて用いる必要はなく、一部のメモリ群だけに任意の受信モードを設定してもよい。
【００１２】
このように受信モードが設定され、図４において、セットボタン４が１度押下されると（ステップＳТ２１）、ＣＰＵ１１の制御により、各メモリ群１２１、１２２、１２３に設定された受信モードに従って、各メモリ群１２１、１２２、１２３に、自動車の現在の位置で自動受信可能な放送局の周波数が一斉に自動記憶される（ステップＳТ２２）。このようにして各メモリ群１２１、１２２、１２３のプリセットメモリに記憶された複数の放送局の周波数は電界強度の大きい順に記憶され、さらに、各メモリ群１２１、１２２、１２３毎に放送局の周波数が周波数の低い順に並べ替えられる。なお、第１、第２、第３のメモリ群１２１、１２２、１２３のうち、任意の２つのメモリ群に同一の受信モードを設定した場合、その２つのメモリ群を一連の記憶領域として放送局の周波数が電界強度の大きい順にオートプリセットされ、各メモリ群１２１、１２２、１２３毎に放送局の周波数が周波数の低い順に並べ替えられる。
【００１３】
また、これらのメモリ群１２１、１２２、１２３に記憶された受信モードの設定を解除する場合、セットボタン４と他の既存の操作ボタンの同時押下により、各メモリ群１２１、１２２、１２３が初期化される。
【００１４】
このように上記実施の形態によれば、制御部に備えた第１、第２、第３のメモリ群１２１、１２２、１２３の合計１８個のプリセットメモリに、ＡМ放送又はＦＭ放送又はＲＤＳ放送から、任意の受信モードの設定又は設定解除を行えるので、複数のメモリ群１２１、１２２、１２３に任意の受信モードを割り当てて、任意の受信モードのプリセットメモリ数を６局又は１２局又は１８局に変えることができる。また、この受信モードの設定又は設定解除を、既存の操作ボタンをその動作モードを変えて操作することにより行い、既存のセットボタン４の長押しにより、各メモリ群１２１、１２２、１２３に受信モードを指定するバンド指定モードを呼び出すので、各メモリ群１２１、１２２、１２３に任意の受信モードを簡易に設定することができ、既存のセットボタン４と他のボタンの同時押下により、各メモリ群１２１、１２２、１２３を初期化するので、各メモリ群１２１、１２２、１２３に設定した受信モードを簡易に解除することができる。
【００１５】
また、既存のセットボタン４の１度の押下により、第１、第２、第３のメモリ群１２１、１２２、１２３に設定した任意の受信モードに従って、これらのメモリ群１２１、１２２、１２３に、自動受信可能な放送局の周波数を一斉に自動記憶するので、任意に設定したすべての受信モードのオートプリセットを簡易な操作で行うことができる。また、このオートプリセットの場合、各メモリ群１２１、１２２、１２３に放送局の周波数を電界強度の大きい順に記憶するので、ユーザーが必要とする受信モードの、受信状態が良好な放送局の周波数を重複することなく記憶することができる。さらに、第１、第２、第３のメモリ群１２１、１２２、１２３のうち、２つのメモリ群に同一の受信モードを設定した場合、その２つのメモリ群を一連の記憶領域として放送局の周波数を電界強度の大きい順に記憶するので、ユーザーが必要とする受信モードの、受信状態が良好な多くの放送局の周波数を重複することなく記憶することができる。さらに、各メモリ群１２１、１２２、１２３毎に放送局の周波数を周波数の低い順に自動的に並べ替えるので、ユーザーが放送局の選局を容易に行うことができる。
【００１６】
【発明の効果】
以上のように、本発明によれば、放送局の周波数を記憶する複数のメモリ群に任意の受信モードの設定又は設定解除を行えるので、複数のメモリ群に選択的に任意の受信モードを割り当てて、任意の受信モードのプリセットメモリ数を変更することができ、すべてのメモリ群を最大限有効に使用することができる。
【図面の簡単な説明】
【図１】本発明の一実施の形態として示すラジオ受信機の操作パネルの概略正面図
【図２】同ラジオ受信機内部の機能制御部の構成を示すブロック図
【図３】同ラジオ受信機においてメモリに受信モードを指定する動作例を示すフロー図
【図４】同ラジオ受信機においてメモリに設定した受信モードに対応する放送局の周波数をオートプリセットする動作例を示すフロー図
【図５】従来のラジオ受信機の操作パネルの概略正面図
【符号の説明】
１  ＡМボタン
２  ＦＭボタン
３  ＲＤＳボタン
４  セットボタン
５１〜５６  ファンクションボタン
６  周波数調整ツマミ
７  表示器
８  アンテナ
９  受信部
１０  スピーカ
１１  ＣＰＵ
１２  メモリ
１２１  第１のメモリ群
１２２  第２のメモリ群
１２３  第３のメモリ群
【図１】
0004001742.tif 000002
【図２】
0004001742.tif 000003
【図３】
0004001742.tif 000004
【図４】
0004001742.tif 000005
【図５】
0004001742.tif 000006